(57)【要約】【課題】気密性や耐久性を損なうことなく下枠上面のカバー材を脱着して下枠を容易に掃除できる開口部装置を提供する。【解決手段】下枠２ｂの上面を略平坦面に形成し、内障子３の室外側下部と外障子４の室内側下部に垂下片１７，１８を設け、下枠２ｂの上面に各垂下片１７，１８を案内する案内溝２０，２１を形成すべく下枠２ｂの上面を室内側カバー材３７、中間カバー材３８及び室外側カバー材３９により構成する。室内側カバー材３７に内障子３の垂下片１７との間を封止する第１横気密材４２を設け、中間カバー材３８に外障子４の垂下片１８との間を封止する第２横気密材４３を設ける。内障子側は室内側カバー材３７ａを固定とし、中間カバー材３８ａと室外側カバー材３９ａを脱着可能とし、外障子側は中間カバー材３８ｂを固定とし、室内側カバー材３７ｂと室外側カバー材３９ｂを脱着可能とした。【選択図】          図１０
2004346494.tif 000002
【特許請求の範囲】
【請求項１】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能としたことを特徴とする開口部装置。
【請求項２】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能とし、内障子側の中間カバー材と室外側カバー材が共通の取付具で一緒に取付けられていることを特徴とする開口部装置。
【発明の詳細な説明】
【０００１】
【発明の属する技術分野】
本発明は、開口部装置に係り、特に下枠の上面がバリアフリーの略平坦面に形成されていると共に掃除し易いように脱着可能に構成されている開口部装置に関する。
【０００２】
【従来の技術】
開口部装置としては、例えば特許文献１に記載されているように、建築物の屋外開口部に設けられる上下枠及び左右の縦枠からなる枠と、該枠内の前記下枠上に戸車を介して左右方向にスライド開閉可能に設けられた引違い障子とを備え、前記下枠の上面を略平坦面に形成し、内外の障子の室内側下部に垂下片を設け、前記下枠の上面に前記垂下片を案内する案内溝を設けたバリアフリー構造の下枠フラットサッシ（下枠上面に突出したレールが無いのでノンレールサッシともいう）が知られている。このサッシの場合、前記案内溝間の間隔が広く、各案内溝と連通する溝部（下枠凹部）の溝幅も広く、且つ下枠の上面が室内側カバー材と室外側カバー材の２つに分割可能に構成されているため、これらを脱着することにより下枠の溝部等を容易に掃除（清掃）することができ、清掃性が良い。また、前記溝部の側壁には各障子の垂下片と対応する横気密材が設けられているが、これらの横気密材は脱着可能なカバー材ではなく固定壁に設けられているため、気密性（水密性を含む）や耐久性が損なわれる恐れはない。
【０００３】
一方、下枠フラットサッシとしては、内障子の室外側下部と外障子の室内側下部に垂下片を設け、下枠の上面に各垂下片を案内する案内溝を設けたものが本出願人により提案されている。
【０００４】
【特許文献１】
特開２００２−２２７５３７号公報
【０００５】
【発明が解決しようとする課題】
しかしながら、前記サッシの場合、構造上、案内溝間の間隔が狭く、清掃性を向上させるためには、下枠の上面をカバー形状にして脱着可能に分割された複数のカバー材により構成する必要があるが、所定位置のカバー材には横気密材が設けられるため、カバー材を自由に脱着可能にすると、横気密材（下枠の気密材）と縦気密材（縦枠の気密材）との繋ぎ目が切れてしまったり、横気密材が途中で分割されてしまったりして気密性や耐久性が損なわれる恐れがある。
【０００６】
本発明は、前記事情を考慮してなされたもので、気密性や耐久性を損なうことなく下枠上面のカバー材を脱着できて下枠を容易に掃除できる開口部装置を提供することを目的とする。
【０００７】
【課題を解決するための手段】
本発明のうち、請求項１の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能としたことを特徴とする。
【０００８】
請求項２の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能とし、内障子側の中間カバー材と室外側カバー材が共通の取付具で一緒に取付けられていることを特徴とする。
【０００９】
【発明の実施の形態】
以下に、本発明の実施の形態を添付図面に基いて詳述する。図１は本発明の実施の形態の開口部装置を概略的に示す室内側正面図、図２は図１の横断面図、図３は図１の縦断面図である。図４は気密構造を説明するための概略的斜視図、図５及び図６は召内框下部の気密構造を説明するための概略的斜視図である。図７は開口部装置の要部縦断面図、図８は同要部横断面図である。図９は排水弁の一例を示す図で、（ａ）は排水時の断面図、（ｂ）は逆流防止時の断面図である。
【００１０】
図１〜図３，図７において、１は開口部装置である下枠フラットサッシ（ノンレールサッシ）で、このサッシ１は、建築物の屋外開口部に取付けられる上下枠（上枠と下枠）２ａ，２ｂ及び左右の縦枠２ｃ，２ｄからなる枠２と、該枠２内に左右方向にスライド開閉可能に取付けられた障子（実施例では引違い障子）３，４とを備えている。枠２の室外側には網戸５が左右方向にスライド開閉可能に取付けられている。上枠２ａ、下枠２ｂ及び左右の縦枠２ｃ，２ｄは、例えばアルミ押出形材からなっている。
【００１１】
前記内障子３は、例えばアルミ押出形材からなる上下框（上框と下框）６ａ，６ｂ及び左右の縦框（召し合せ框と戸先框）６ｃ，６ｄからなる框６内にガラスパネル７を装着してなる。前記外障子４は、例えばアルミ押出形材からなる上下框（上框と下框）８ａ，８ｂ及び左右の縦框（召し合せ框と戸先框）８ｃ，８ｄからなる框８内にガラスパネル９を装着してなる。下框６ｂ，８ｂには戸車１０，１１が取付けられ、この戸車１０，１１を介して障子３，４が下枠２ｂの上面１２にスライド開閉可能に支持されている。戸車１０，１１には障子３，４の高さ調整を行う図示しない建て付け調整機構が設けられている。
【００１２】
前記下枠２ｂの上面１２は略平坦面に形成され、室外側に配置した排水用グレーチング１３やバルコニー等のデッキ部１４と、室内側の床部１５とが下枠２ｂの上面１２と略水平に形成され、バリアフリー構造になっている。グレーチング１３の下には排水溝１６が設けられている。下枠２ｂの上面１２の戸車１０，１１が走行する部分は戸車１０，１１を案内すべく若干凹面に形成されていても良い。
【００１３】
内障子（室内側に位置する障子）３の室外側下部にはその長手方向全長に亘って垂下片（第１垂下片）１７が設けられ、外障子（室外側に位置する障子）４の室内側下部にその長手方向全長に亘って垂下片（第２垂下片１８）が設けられている。前記垂下片１７，１８は戸車１０，１１の下端よりも下方に延出されている。前記下枠２ｂの上面１２には２つの前記垂下片１７，１８を案内する幅の狭い案内溝（第１案内溝と第２案内溝）２０，２１が下枠の長手方向全長に亘って設けられている。前記網戸５の下部には下枠２ｂの上面１２を走行する戸車２２が取付けられ、網戸５の下部にはその長手方向全長に当って垂下片２３が設けられ、下枠２ｂの上面１２には垂下片２３を案内する案内溝２４が設けられている。
【００１４】
また、下枠２ｂ内にはこれを上下に仕切る隔壁２５が設けられ、該隔壁２５の上部には各案内溝２０，２１と連通した幅の広い溝部（第１溝部と第２溝部）２６，２７が隔壁２５からの３つの立上り壁（第１立上り壁、第２立上り壁、第３立上り壁）２８，２９，３０によって形成されている。隔壁２５の上部には前記立上り壁２８，２９，３０によって第１溝部２６と第２溝部２７の他に室内側溝部３１と室外側溝部３２が形成されている。隔壁２５の下部は空間部３３とされ、該空間部３３は下枠２ｂの室外壁に設けた排水口３４を通して室外の排水溝１６と連通されている。前記第１溝部２６と第２溝部２７の底部（隔壁２５）には閉鎖状態の障子３，４よりも室外側空間と前記下枠２ｂの空間部３３とを連通する排水孔３５，３６が設けられている。前記下枠２ｂの空間部３３は図示例の場合、中空部（ホロー部）からなっているが、これに限定されない。
【００１５】
前記少なくとも上部が開放された第１，第２溝部２６，２７の清掃性を向上させるために、図１０にも示すように下枠２ｂの上面１２は横断面で見て３つのカバー材（室内側カバー材、中間カバー材、室外側カバー材）３７，３８，３９により脱着可能に構成されている。室内側カバー材３７は室内側溝部３１の上面を覆うように形成され、内障子３をスライド開閉可能に支持している。室内側カバー材３７の一側部は室内側溝部３１の底部に支持され、他側部は第１立上り壁２８に支持されている。この室内側カバー材３７の他側部に後述する第１横気密材４２の取付溝が形成されている。室内側カバー材３７は取付具例えばネジ（ビス）４０で隔壁（下枠本体）２５に脱着可能に取付けられている。
【００１６】
中間カバー材３８は、第２立上り壁２９及び第３立上り壁３０を有し、第２立上り壁２９に後述する第２横気密材４３の取付溝が形成されている。室外側カバー材３９は室外側溝部３２の上面を覆うように形成され、外障子４をスライド開閉可能に支持している。室外側カバー材３９の一側部は室外側溝部３２の底部に支持され、他側部は第３立上り壁３０に支持されている。中間カバー材３８及び室外カバー材３９は一緒に、共通の取付具例えばネジ（ビス）４１により隔壁（下枠本体）２５に脱着可能に取付けられている。
【００１７】
障子３，４を取外すこと無く下枠２ｂを容易に掃除できるようにするために、図１１ないし図１２に示すように、内障子３側（内観右側）は室内側カバー材３７ａを固定とし、中間カバー材３８ａと室外側カバー材３９ａを脱着可能とし、外障子４側（内観左側）は中間カバー材３８ｂを固定とし、室内側カバー材３７ｂと室外側カバー材３９ｂを脱着可能としている。品質上重要な気密材が存在する部位（３７ａ，３８ｂ）を固定とし、気密性や耐久性が損なわれないようにしている。障子を左側（外障子側）に寄せた時（図１２参照）に露出する右側の室外側カバー材３９ａ及びその下の中間カバー材３８ａが脱着可能に分割されており、障子を右側（内障子側）に寄せた時〔（図１１（ｂ）参照〕に露出する室内側カバー材３７ｂ及び室外側カバー材３９ｂが脱着可能に分割されている。
【００１８】
すなわち、室内側カバー材３７は内障子側室内側カバー材３７ａと外障子側室内側カバー材３７ｂに分割され、内障子側室内側カバー材３７ａが常時固定とされ、外障子側室内側カバー材３７ｂが脱着可能とされている。中間カバー材３８は内障子側中間カバー材３８ａと外障子側中間カバー材３８ｂに分割され、内障子側中間カバー材３８ａが脱着可能とされ、外障子側中間カバー材３８ｂが常時固定とされている。室外側カバー材３９は内障子側室外側カバー材３９ａ、外障子側室外側カバー材３９ｂ及びこれらの中間室外側カバー材３９ｃに分割され、中間室外側カバー材３９ｃが常時固定とされ、内障子側室外側カバー材３９ａ及び外障子側室外側カバー材３９ｂが脱着可能とされている。
【００１９】
前記内障子側中間カバー材３８ａ、内障子側室外側カバー材３９ａ、外障子側室内側カバー材３７ｂ及び外障子側室外側カバー材は３９ｂ、一端をストッパー５３，５８や端部ピース５７に引っ掛け、他端をネジ４０，４１で止めることにより、ネジの本数の削減及び脱着作業の作業性の向上が図られている。先ず、外障子側室内側カバー材３７ｂは、図１３ないし図１４に示すように下枠上（具体的には下枠本体である隔壁上、以下同様。）に取付けられた内障子用ストッパー５３に一端が引っ掛けられる。内障子用ストッパー５３には外障子側室内側カバー材３７ｂの一端を差し込んで引っ掛けるための凹部５３ａが形成されている。外障子側室内側カバー材３７ｂの取付ガタを解消するために、前記内障子用ストッパー５３の凹部５３ａには差し込まれた外障子側室内側カバー材３７ｂを押し出す方向に付勢する弾性片部５３ｂが設けられていることが好ましい。
【００２０】
外障子側室外側カバー材３９ｂは、図１３ないし図１５に示すように下枠２ｂ上に取付けられた端部ピース５７に一端が引っ掛けられる。端部ピース５７には外障子側室外側カバー材３９ｂの一端を差し込んで引っ掛けるための凹部５７ａが形成されている。外障子側室外側カバー材３９ｂの取付ガタを解消するために、前記端部ピース５７の凹部５７ａには差し込まれた外障子側室外側カバー材３７ｂを押し出す方向に付勢する弾性片部５７ｂが設けられていることが好ましい。前記端部ピース５７は隔壁２５の端部に設けられた排水孔（図示省略）を露出しないように覆い隠す役割をも有している。
【００２１】
内障子側中間カバー材３８ｂ及び内障子側室外側カバー材３９ａは、図１６ないし図１７に示すように下枠２ｂ上に取付けられた外障子用ストッパー５８に一端が引っ掛けられる。外障子用ストッパー５８には内障子側中間カバー材３８ｂ及び内障子側室外側カバー材３９ａの一端を差し込んで引っ掛けるための凹部５８ａが形成されている。内障子側中間カバー材３８ｂ及び内障子側室外側カバー材３９ａの取付ガタを解消するために、前記外障子用ストッパー５８の凹部５８ａには差し込まれた内障子側中間カバー材３８ｂ及び内障子側室外側カバー材３９ａを押し出す方向に付勢する弾性片部５８ｂが設けられていることが好ましい。
【００２２】
また、前記内障子側中間カバー材３８ａ、内障子側室外側カバー材３９ａ、外障子側室内側カバー材３７ｂ及び外障子側室外側カバー材３９ｂの他端を止めているネジ４０，４１は、図１０に示すように中間に係止部５９を有し、ネジ４０，４１を緩めてネジ頭部４０ａ，４１ａがカバー材の上面よりも上方に突出した時にカバー材の下面に当接してネジ４０，４１が引き抜けるのを防止する。これにより、ネジ４０，４１を緩めてカバー材の上面より突出したネジ頭部４０ａ，４１ａを摘み上げることによりカバー材、具体的には内障子側室外側カバー材３９ａ、外障子側室内側カバー材３７ｂ及び外障子側室外側カバー材３９ｂを下枠本体２５から容易に取外すことができる。前記係止部材５９としては、例えばナットやＣリングが適用可能である。
【００２３】
サッシ１の室内側と室外側を気密に遮断するために、枠２と閉鎖時の障子３，４により両者の間に連続した気密ライン（止水ラインともいう）を如何に形成するかが重要となる。本実施例では、図４〜図７にも示すように前記下枠２ｂにおける閉鎖状態の障子３，４の各垂下片１７，１８と案内溝２０，２１の室内側縁部との間に軟質樹脂製の横気密材（第１横気密材と第２横気密材）４２，４３が設けられている。前記横気密材４２，４３は各案内溝２０，２１の室内側縁部（気密材取付溝）に取付けられ、各横気密材４２，４３に対して各垂下片１７，１８が室外側から接している。
【００２４】
前記第１横気密材４２と第２横気密材４３のそれぞれの一端部は、閉鎖位置の障子３，４の召し合せ框６ｃ、８ｃの位置で切断されており、下枠２ｂの第１案内溝２０を含む第１溝部２６内の長手方向略中央部（召し合せ框の位置）に配置された軟質樹脂製の召し合せ框下部止水ブロック４４と、第２立上り壁２９の上部に配置された下枠風止め部材５６と、内障子３の召し合せ框６ｃの端部に設けられた樹脂製の召し合せ気密ピース４５（召し合せ下部溝塞ぎ）とを介して接続される。前記召し合せ框下部止水ブロック４４は、第１案内溝２０の左右を室内空間と室外空間とに分けている。召し合せ框下部止水ブロック４４は、第１横気密材４２と同様に気密材取付溝に取付けられて第１案内溝２０に配置される上部止水部４４ａを有している。
【００２５】
第１横気密材４２は固定側である内障子側室内側カバー材３７ａに取付けられており、第２横気密材４３は固定側である外障子側中間カバー材３８ｂに取付けられている。これにより、前記内障子側中間カバー材３８ａ、内障子側室外側カバー材３９ａ、外障子側室内側カバー材３７ｂや外障子側室外側カバー材３９ｂを取外しても、横気密材４２，４３が途中で切断されたり、縦気密材４６，４９との繋ぎ目が切れたりすることが無く、気密性及び耐久性の向上が図れる。
【００２６】
前記召し合せ気密ピース４５の下端部は下枠２ｂの上面１２と対応する形状に形成され、垂下片１７と同様に第１案内溝２０内に垂下されて召し合せ框下部止水ブロック４４に接する垂下片部４５ａを有している。召し合せ気密ピース４５は高さ調整可能（建て付け調整可能）に取付けられている。また、第１横気密材４２の端部と縦枠２ｄの縦気密材４６の下端部とは下枠端部立上り部材４７と縦枠下部気密ピース４８を介して接続されており、第２横気密材４３の端部と縦枠２ｃの縦気密材４９の下端部とは接続されている。これにより連続した気密ライン（止水ライン）が形成されている。
【００２７】
このように室内外の気密性が確保されているため、冬期などには室内外の温度差が大きくなり、障子３，４の室内面に結露水が生じる場合があり、内障子３の室内面に生じた結露水は内障子３の室内側下部（下縁部）５０から下枠２ｂの上面１２に落下する。下枠２ｂの上面１２に落下した結露水が室内に流れ込むのを防止するために、換言すれば、室内外の気密性を保持しつつ前記結露水を室外に排水するために、前記下枠２ｂの上面１２には前記内障子３の室内側下部（下縁部）５０から落下する結露水を受ける深さの浅い水受溝５１が下枠２ｂの長手方向全長に亘って設けられ、該水受溝５１から室外に連通した前記下枠２ｂ内の空間部３３へ排水するための排水弁５２が設けられ、該排水弁５２を経由して結露水が室内側から室外へ排水されるようになっている。前記内障子３の室内側下部（垂下片ともいう）５０は、前記水受溝５１の真上にある。
【００２８】
好ましくは、図７ないし図８に示すように、前記下枠２ｂの上面１２には前記水受溝５１が設けると共に該水受溝５１の一端に内障子３の全開位置を規制する内障子用ストッパー５３が設けられ、水受溝５１の内障子用ストッパー５３で隠れた部分から室外に連通した下枠２ｂ内の空間部３３へ排水するための排水弁５２が設けられている。本実施例では、前記水受溝５１の内障子用ストッパー５３で隠れた部分に排水孔５４が設けられ、水受溝５１の下方の室内側溝部３１の隔壁２５に排水弁５２が取付けられている。前記内障子３の室内側下部（下縁部）５０は下框６ｂの長手方向に沿って内障子３の全長に亘って設けられている（縦通し框の場合、縦框６ｃ、６ｄの室内側下端部を含む）。前記内障子３の室内側下部（下縁部）５０は水受溝５１に近接していることが戸車１０を隠せて意匠性の向上が図れる点で好ましい。
【００２９】
前記排水弁５２は、例えば図９の（ａ），（ｂ）に示すように下枠２ｂの隔壁２５に設けた開口部５５に取付けられる本体５２ａと、この本体５２ａに開閉可能に取付けられた弁体５２ｂとから主に構成されている。通常は、図９の（ａ）に示すように弁体５２ｂが下方に開いた隙間５２ｃから結露水が排水されるが、図９の（ｂ）に示すように室外側からの風圧により弁体５２ｂが上方に閉じて水の逆流を防止するようになっている。
【００３０】
一方、図８の破線で示すように第１立上り壁２８の端部を切り欠いて第１溝部２６と室内側溝部３１とを連通させることにより、一点鎖線の矢印で示すように外障子４の室内面から垂下片１８を伝わって下枠２ｂの上面１２に流下し、更に第１案内溝２０から第１溝部２６に流入した結露水が、第１溝部２６から室内側溝部３１の排水弁５２に至り、該排水弁５２を経由して室外へ排水されるようになっている。
【００３１】
以上の構成からなるサッシ１によれば、上下枠２ａ，２ｂ及び左右の縦枠２ｃ，２ｄからなる枠２と、該枠２内に引違いに開閉可能に設けられた内外の障子３，４とを備え、前記下枠２ａの上面を略平坦面に形成し、内障子３の室外側下部と外障子４の室内側下部に垂下片１７，１８を設け、下枠２ｂの上面に各垂下片１７，１８を案内する案内溝２０，２１を形成すべく下枠２ｂの上面を室内側カバー材３７、中間カバー材３８及び室外側カバー材３９により構成し、室内側カバー材３７に内障子３の垂下片１７と対応する第１横気密材４２を設け、中間カバー材３８に外障子４の垂下片１８と対応する第２横気密材４３を設け、内障子側は室内側カバー材３７ａを固定とし、中間カバー材３８ａと室外側カバー材３９ａを脱着可能とし、外障子側は中間カバー材を３８ｂ固定とし、室内側カバー材３７ｂと室外側カバー材３９ｂを脱着可能としているため、気密性や耐久性を損なうことなく下枠上面のカバー材３８ａ，３９ａ，３８ｂ，３７ｂを脱着して下枠２ｂを容易に掃除できる。この場合、内障子側の中間カバー材３８ａと室外側カバー材３９ａは共通の取付具例えばネジ４１で共締めされているから脱着作業が短時間で容易にでき、作業性の向上が図れる。
【００３２】
前記下枠２ｂの上面１２に前記内障子３の室内側下部５０から落下する結露水を受ける浅い水受溝５１を設け、該水受溝５１から室外に連通した下枠２ｂ内の空間部３３へ排水するための排水弁５２を設け、該排水弁５２を経由して結露水が室内側から室外へ排水されるため、内障子３の室内側下部５０から下枠２ｂの上面１２に落下した結露水が室内側に流れて室内が濡れるのを防止することができる。また、排水弁５２等の排水部（排水孔５４を含む）が内障子用ストッパー５３で隠れ、排水部である排水弁５２や排水孔５４が露出しないので意匠性の向上が図れる。前記排水弁５２によって、室外から風が室内に入り込んだり、水が逆流したりするのを防止することができ、室内外の気密性（水密性を含む）を保ったまま室内の結露水を室外に円滑に排水することができる。また、下枠２ｂの室内側上面に設けた水受溝５１は深さが浅いため、掃除が容易にできると共に、見栄え（意匠性）も良い。
【００３３】
以上、本発明の実施の形態を図面により詳述してきたが、本発明は前記実施の形態に限定されるものではなく、本発明の要旨を逸脱しない範囲での種々の設計変更等が可能である。
【００３４】
【発明の効果】
以上要するに本発明によれば、次のような効果を奏することができる。
【００３５】
（１）請求項１の発明によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能としているため、気密性や耐久性を損なうことなく下枠上面のカバー材を脱着して下枠を容易に掃除できる。
【００３６】
（２）請求項２によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成すべく下枠の上面を室内側カバー材、中間カバー材及び室外側カバー材により構成し、室内側カバー材に内障子の垂下片と対応する第１横気密材を設け、中間カバー材に外障子の垂下片と対応する第２横気密材を設け、内障子側は室内側カバー材を固定とし、中間カバー材と室外側カバー材を脱着可能とし、外障子側は中間カバー材を固定とし、室内側カバー材と室外側カバー材を脱着可能とし、内障子側の中間カバー材と室外側カバー材が共通の取付具で一緒に取付けられているため、気密性や耐久性を損なうことなく下枠上面のカバー材を脱着できて下枠を容易に掃除でき、しかも、内障子側の中間カバー材と室外側カバー材は共通の取付具で共締めされているから脱着作業が短時間で容易にでき、作業性の向上が図れる。
【図面の簡単な説明】
【図１】本発明の実施の形態の開口部装置を概略的に示す室内側正面図である。
【図２】図１の横断面図である。
【図３】図１の縦断面図である。
【図４】気密構造を説明するための概略的斜視図である。
【図５】召内框下部の気密構造を説明するための概略的斜視図である。
【図６】召内框下部の気密構造を説明するための概略的斜視図である。
【図７】開口部装置の要部縦断面図である。
【図８】同要部横断面図である。
【図９】排水弁の一例を示す図で、（ａ）は排水時の断面図、（ｂ）は逆流防止時の断面図である。
【図１０】（ａ）はカバー材の取付状態を示す図、（ｂ）はネジを緩めた状態を示す図、（ｃ）はカバー材を取付した状態を示す図である。
【図１１】（ａ）は下枠の上面におけるカバー材の分割状態を示す図、（ｂ）は障子を右側に移動した下枠の上面を示す図である。
【図１２】障子を左側に移動した下枠の上面を示す図である。
【図１３】下枠上面の外障子側室内側カバー材及び外障子側室外側カバー材を取外す状態を示す斜視図である。
【図１４】（ａ）は内障子用ストッパーに外障子側室内側カバー材の一端を引っ掛ける状態を示す図、（ｂ）は同内障子用ストッパーの概略的平面図である。
【図１５】（ａ）は端部ピースに外障子側室外側カバー材の一端を引っ掛ける状態を示す図、（ｂ）は同端部ピースの概略的平面図である。
【図１６】下枠上面の及び内障子側中間カバー部材及び内障子側室外側カバー材を取外す状態を示す斜視図である。
【図１７】外障子用ストッパーに内障子側中間カバー部材及び内障子側室外側カバー材の一端を引っ掛ける状態を示す図である。
【符号の説明】
１  サッシ（開口部装置）
２  枠
２ａ  上枠
２ｂ  下枠
２ｃ，２ｄ  縦枠
３  内障子
４  外障子
１２  下枠の上面
１７，１８  垂下片
２０，２１  案内溝
３７  室内側カバー材
３８  中間カバー材
３９  室外側カバー材
３７ａ  内障子側室内側カバー材
３７ｂ  外障子側室内側カバー材
３８ａ  内障子側中間カバー材
３８ｂ  外障子側中間カバー材
３９ａ  内障子側室外側カバー材
３９ｂ  外障子側室外側カバー材
４０  ネジ（取付具）
４１  ネジ（共通の取付具）
【図１】
2004346494.tif 000003
【図２】
2004346494.tif 000004
【図３】
2004346494.tif 000005
【図４】
2004346494.tif 000006
【図５】
2004346494.tif 000007
【図６】
2004346494.tif 000008
【図７】
2004346494.tif 000009
【図８】
2004346494.tif 000010
【図９】
2004346494.tif 000011
【図１０】
2004346494.tif 000012
【図１１】
2004346494.tif 000013
【図１２】
2004346494.tif 000014
【図１３】
2004346494.tif 000015
【図１４】
2004346494.tif 000016
【図１５】
2004346494.tif 000017
【図１６】
2004346494.tif 000018
【図１７】
2004346494.tif 000019